(57)【要約】【課題】取り付け及び取り外しを容易に行うことができる転倒防止装置を提供する。【解決手段】転倒防止装置は、ダンパ１０を備えており、家具Ｆの上面と天井Ｃとの間に取り付けられる。ダンパ１０は収縮動作時に発生する減衰力が伸長動作時に発生する減衰力よりも大きく、伸長方向に反力が付勢されている。ダンパ１０は、ピストンロッド１３とセンタロッド１４との位置関係を変化させると、減衰モード、フリーモード、又はロックモードのいずれかに切り替わる。減衰モードにおいて、ダンパ１０は、伸縮自在であり、伸長動作時に発生する減衰力よりも大きい減衰力が収縮動作時に発生する。フリーモードにおいて、ダンパ１０は、伸縮自在であり、減衰モードにおける収縮動作時に発生する減衰力よりも小さい減衰力が収縮動作時に発生する。ロックモードにおいて、ダンパ１０は伸長方向に付勢された反力による伸長動作を阻止又は減速する。【選択図】図４
2018102703.tif 000002
【特許請求の範囲】
【請求項１】
収縮動作時に発生する減衰力が伸長動作時に発生する減衰力よりも大きく、伸長方向に反力が付勢されたダンパを備えており、設置面上に設置された物品と天井との間に取り付けられる転倒防止装置であって、
前記ダンパは、
中心軸上に伸びる挿入孔が形成されたピストンロッドと、
前記ピストンロッドの前記挿入孔に挿入され、前記ピストンロッドとの位置関係が変化するセンタロッドと、
を有しており、
前記ピストンロッドと前記センタロッドとの位置関係を変化させると、
前記ダンパが伸縮自在であり、伸長動作時に発生する減衰力よりも大きい減衰力が収縮動作時に発生する減衰モード、
前記ダンパが伸縮自在であり、減衰モードにおける収縮動作時に発生する減衰力よりも小さい減衰力が収縮動作時に発生するフリーモード、
又は、伸長方向に付勢された反力による前記ダンパの伸長動作を阻止又は減速するロックモード、
のいずれかに切り換わることを特徴とする転倒防止装置。
【請求項２】
前記ダンパは、
有底筒状のシリンダと、
前記シリンダ内に摺動自在に収納され、前記シリンダ内をロッド側室とボトム側室とに区画し、前記ピストンロッドの先端部が連結されたピストンと、
前記ピストンロッドと前記センタロッドとの位置関係を変化させると、前記ロッド側室と前記ボトム側室とを連通した連通状態、又は前記ロッド側室と前記ボトム側室との連通を遮断した遮断状態に切り換わる第１流路と、
前記第１流路に設けられ、前記ロッド側室から前記ボトム側室への作動液体の流れを許容し、その逆の流れを阻止する逆止弁と、
前記ピストンロッドと前記センタロッドとの位置関係を変化させると、作動液体の流れに抵抗を付与して収縮動作時の減衰力を発生させるオリフィスを介して前記ロッド側室と前記ボトム側室とを連通した第１連通状態、前記オリフィスよりも流路面積が大きい連通路を介して前記ロッド側室と前記ボトム側室とを連通し、前記第１連通状態よりも流れる作動液体の流量が多い第２連通状態、又は前記ロッド側室と前記ボトム側室との連通を遮断した遮断状態のいずれかに切り換わる第２流路と、
を有しており、
前記第１流路を前記連通状態に切り換えて前記第２流路を前記第１連通状態に切り換えると前記減衰モードに切り換わり、前記第２流路を前記第２連通状態に切り換えると前記フリーモードに切り換わり、前記第１流路及び前記第２流路を前記遮断状態に切り換えると前記ロックモードに切り換わることを特徴とする請求項１記載の転倒防止装置。
【請求項３】
前記第１流路は、前記ピストンロッドと前記センタロッドとの位置関係を変化させて前記連通状態から前記遮断状態に切り換える過程において、前記第１流路を流れる作動液体の流量を徐々に減少させる第１流量変換部を具備していることを特徴とする請求項２記載の転倒防止装置。
【請求項４】
前記第２流路は、前記ピストンロッドと前記センタロッドとの位置関係を変化させて前記第２連通状態から前記遮断状態に切り換える過程において、前記第２流路を流れる作動液体の流量を徐々に減少させる第２流量変化部を具備していることを特徴とする請求項２又は３記載の転倒防止装置。
【請求項５】
前記ピストンロッドと前記センタロッドとは中心軸に沿って相対的に移動することによって位置関係を変化させることを特徴とする請求項１乃至４のいずれか１項記載の転倒防止装置。
【請求項６】
前記ピストンロッドと前記センタロッドとは中心軸周りを相対的に回転することによって位置関係を変化させることを特徴とする請求項１乃至４のいずれか１項記載の転倒防止装置。
【請求項７】
前記ピストンロッドの後端部側に設けられた回動軸に回動自在に軸支され、回動すると前記センタロッドが中心軸に沿って移動するカムと、
前記カムに連結され。前記回動軸周りを移動するレバーと、
を備えており、
前記レバーが前記回動軸周りを移動して前記ピストンロッドに近づくにしたがって、前記カムが回動して前記ピストンロッドと前記センタロッドとの位置関係が変化し、前記ダンパが前記減衰モード、前記ロックモード、前記フリーモードの順に切り換わることを特徴とする請求項５記載の転倒防止装置。
【請求項８】
前記ピストンロッドは中心軸に沿って前記挿入孔が貫通しており、
前記センタロッドは前記第２流路が先端面に開口して中心軸に沿って伸びたダンパであって、
最も収縮した状態において、前記ピストンロッドの先端面に開口した前記挿入孔に前記ボトム室側から挿入されて前記挿入孔を封鎖し、前記第２流路を遮断するピン部材を有していることを特徴とする請求項２乃至４のいずれか１項記載の転倒防止装置。
【発明の詳細な説明】
【技術分野】
【０００１】
本発明は転倒防止装置に関するものである。
【背景技術】
【０００２】
特許文献１に従来の転倒防止装置が開示されている。この転倒防止装置は、ダンパを備えており、床面上に設置された家具の上面と天井との間に取り付けられる。このダンパは、収縮動作時に発生する減衰力が伸長動作時に発生する減衰力よりも大きく、伸長方向に反力が付勢されている。この転倒防止装置は、地震等の揺れによって家具が傾くと、ダンパの収縮動作時に発生する減衰力が家具に作用し、家具の傾きを抑制して転倒を防止することができる。
【先行技術文献】
【特許文献】
【０００３】
【特許文献１】特開２０１５−６３３０号公報
【発明の概要】
【発明が解決しようとする課題】
【０００４】
しかし、特許文献１の転倒防止装置は、家具の上面と天井との間に取り付けたり、取り外したりするためにダンパを収縮させる際、収縮動作時に発生する減衰力に勝る力を要する。また、この転倒防止装置は、ダンパを収縮させると伸長方向に付勢された反力に対抗して常に収縮させる方向に力をかけておかないと勢いよく伸びてしまう。このように、この転倒防止装置は取り付け及び取り外し作業に困難性を有する。
【０００５】
本発明は、上記従来の実情に鑑みてなされたものであって、取り付け及び取り外しを容易に行うことができる転倒防止装置を提供することを解決すべき課題としている。
【課題を解決するための手段】
【０００６】
本発明の転倒防止装置は、ダンパを備えており、設置面上に設置された物品と天井との間に取り付けられる。ダンパは収縮動作時に発生する減衰力が伸長動作時に発生する減衰力よりも大きく、伸長方向に反力が付勢されている。また、このダンパはピストンロッド及びセンタロッドを有している。ピストンロッドは中心軸上に伸びる挿入孔が形成されている。センタロッドは、ピストンロッドの挿入孔に挿入され、ピストンロッドとの位置関係が変化する。このダンパは、ピストンロッドとセンタロッドとの位置関係を変化させると、減衰モード、フリーモード、又はロックモードのいずれかに切り替わる。減衰モードは、ダンパが伸縮自在であり、伸長動作時に発生する減衰力よりも大きい減衰力が収縮動作時に発生する。フリーモードは、ダンパが伸縮自在であり、減衰モードにおける収縮動作時に発生する減衰力よりも小さい減衰力が収縮動作時に発生する。ロックモードは、伸長方向に付勢された反力によるダンパの伸長動作を阻止又は減速する。
【０００７】
この転倒防止装置は、ダンパのピストンロッドとセンタロッドとの位置関係を変化させてダンパを減衰モードにした状態で、物品と天井との間に取り付けられる。すると、この転倒防止装置に備えられたダンパは、伸長方向に反力が作用しつつ、伸長動作時に発生する減衰力よりも大きい減衰力が収縮動作時に発生する。このため、この転倒防止装置は、地震等の揺れによって物品が傾くと、ダンパの収縮動作時に発生する減衰力が物品に作用して傾きを抑制し、物品の転倒を防止することができる。
【０００８】
また、この転倒防止装置は、ダンパのピストンロッドとセンタロッドとの位置関係を変化させてダンパをフリーモードにすると、ダンパの収縮動作時に発生する減衰力が減衰モードにおける収縮動作時に発生する減衰力よりも小さくなる。つまり、この転倒防止装置は、ダンパをフリーモードにすると、ダンパを小さな力で容易に収縮させることができる。このように、この転倒防止装置は、ダンパをフリーモードにすることによって、物品と天井との間への取り付け及び取り外し等をする際に、ダンパを容易に収縮させることができる。
【０００９】
また、この転倒防止装置は、ダンパのピストンロッドとセンタロッドとの位置関係を変化させてダンパをロックモードにすると、伸長方向に付勢された反力によるダンパの伸長動作が阻止又は減速される。このため、この転倒防止装置は、物品と天井との間に取り付けたり、取り外したりするためにダンパを収縮させた際、ダンパが不意又は勢いよく伸長してしまうことを防止することができる。つまり、この転倒防止装置を物品と天井との間に取り付ける際、ダンパを徐々に伸長させることができるため、転倒防止装置を適正な状態に取り付けることができる。また、物品と天井との間に取り付けられた転倒防止装置を取り外す際、収縮させたダンパが不意又は勢いよく伸長しないため、取り外しを容易に行うことができる。
【００１０】
したがって、この転倒防止装置は取り付け及び取り外しを容易に行うことができる。
【００１１】
本発明の転倒防止装置において、ダンパは、シリンダ、ピストン、第１流路、逆止弁、及び第２流路を有し得る。シリンダは有底筒状である。ピストンはシリンダ内に摺動自在に収納されている。また、ピストンはシリンダ内をロッド側室とボトム側室とに区画している。また、ピストンはピストンロッドの先端部が連結されている。第１流路は、ピストンロッドとセンタロッドとの位置関係を変化させると、連通状態又は遮断状態に切り換わる。第１流路は、連通状態において、ロッド側室とボトム側室とを連通する。また、第１流路は、遮断状態において、ロッド側室とボトム側室との連通を遮断する。逆止弁は第１流路に設けられている。この逆止弁は、ロッド側室からボトム側室への作動液体の流れを許容し、その逆の流れを阻止する。第２流路は、ピストンロッドとセンタロッドとの位置関係を変化させると、第１連通状態、第２連通状態、又は遮断状態のいずれかに切り替わる。第２流路は、第１連通状態において、オリフィスを介してロッド側室とボトム側室とを連通する。オリフィスはダンパの収縮動作時に作動液体の流れに抵抗を付与して減衰力を発生させる。また、第２流路は、第２連通状態において、連通路を介してロッド側室とボトム側室とを連通する。連通路はオリフィスよりも流路面積が大きい。第２流路は第２連通状態の方が第１連通状態よりも流れる作動液体の流量が多い。また、第２流路は、遮断状態において、ロッド側室とボトム側室との連通を遮断する。このダンパは第１流路を連通状態に切り換えて第２流路を第１連通状態に切り換えると減衰モードに切り換わる。また、このダンパは第２流路を第２連通状態に切り換えるとフリーモードに切り換わる。また、このダンパは第１流路及び第２流路を遮断状態に切り換えるとロックモードに切り換わる。
【００１２】
この場合、この転倒防止装置は、ダンパのピストンロッドとセンタロッドとの位置関係を変化させて第１流路と第２流路の状態を切り替えることによって、ダンパを減衰モード、フリーモード、又はロックモードのいずれかに切り換えることができる。
【００１３】
本発明の転倒防止装置において、ダンパの第１流路は第１流量変化部を具備し得る。第１流量変化部は、ピストンロッドとセンタロッドとの位置関係を変化させて第１流路を連通状態から遮断状態に切り換える過程において、第１流路を流れる作動液体の流量を徐々に減少させる。この場合、このダンパは、第１流量変化部によって、第１流路を流れる作動液体の流量を調整することができる。ダンパの伸長方向に付勢された反発力によるダンパの伸長動作は、第１流路を流れる作動液体の流量を減少させるに従い、遅くなる。このため、この転倒防止装置は、第１流量変化部で第１流路を流れる作動液体の流量を調整することで、ダンパの伸長方向に付勢された反発力による伸長速さを調整することができるため、ダンパを徐々に伸長させて、物品と天井との間に適正な状態で取り付けることができる。
【００１４】
本発明の転倒防止装置において、ダンパの第２流路は第２流量変化部を具備し得る。第２流量変化部は、ピストンロッドとセンタロッドとの位置関係を変化させて第２流路を第２連通状態から遮断状態に切り換える過程において、第２流路を流れる作動液体の流量を徐々に減少させる。この場合、このダンパは、第２流量変化部によって、第２流路を流れる作動液体の流量を調整することができる。ダンパの伸長方向に付勢された反発力によるダンパの伸長動作は、第１流路を遮断した状態において、第２流路を流れる作動液体の流量を減少させるに従い、遅くなる。このため、この転倒防止装置は、第２流量変化部で第２流路を流れる作動液体の流量を調整することで、ダンパの伸長方向に付勢された反発力による伸長速さを調整することができるため、ダンパを徐々に伸長させて、物品と天井との間に適正な状態で取り付けることができる。
【００１５】
本発明の転倒防止装置において、ピストンロッドとセンタロッドとは中心軸に沿って相対的に移動することによって位置関係を変化させ得る。この場合、中心軸に沿って貫通した挿入孔をピストンロッドに形成し、この挿入孔に挿入し、ピストンロッドの後端部から突出したセンタロッドの突出部分を操作して突出長さを変更することによって、ピストンロッドとセンタロッドと位置関係を容易に変更することができる。
【００１６】
本発明の転倒防止装置において、ピストンロッドとセンタロッドとは中心軸周りを相対的に回転することによって位置関係を変化させ得る。この場合、中心軸に沿って貫通した挿入孔をピストンロッドに形成し、この挿入孔に挿入し、ピストンロッドの後端部から突出したセンタロッドの突出部分を回転操作することによって、ピストンロッドとセンタロッドと位置関係を容易に変更することができる。
【００１７】
本発明の転倒防止装置において、カムと、レバーとを備え得る。カムはピストンロッドの後端部側に回動自在に軸支されている。このカムが回動するとセンタロッドが中心軸に沿って移動する。レバーはカムに連結されている。この転倒防止装置は、レバーが回動軸周りを移動してピストンロッドに近づくにしたがって、カムが回動してピストンロッドとセンタロッドとの位置関係が変化し、ダンパが減衰モード、ロックモード、フリーモードの順に切り換わる。この場合、レバーとピストンロッドとを握るようにレバーをピストンロッドに近づけるとダンパがフリーモードになり、レバーとピストンロッドとを握ったままダンパを容易に収縮させることができる。
【００１８】
本発明の転倒防止装置において、ダンパはピン部材を有し得る。ピストンロッドは中心軸に沿って挿入孔が貫通している。センタロッドは第２流路が先端面に開口して中心軸に沿って伸びている。ピン部材は、ダンパが最も収縮した状態において、ピストンロッドの先端面に開口した挿入孔にボトム室側から挿入されて挿入孔を封鎖し、第２流路を遮断する。この場合、この転倒防止装置は、ダンパを最も収縮させた状態において、第１流路及び第２流路を遮断状態にして伸長方向に付勢された反力による伸長動作を阻止し、最も収縮した状態を保持することができる。このため、この転倒防止装置は、ダンパを最も収縮した状態に保持して、梱包したり、搬送したりすることができる。
【００１９】
ここで、物品は、家具、冷蔵庫、書棚、ショーケース、サーバーラック、複数の寝台を上下方向に連結したベッド、大型テレビ等、地震の揺れ等によって転倒するおそれのあるものが含まれる。
【図面の簡単な説明】
【００２０】
【図１】実施形態１及び３の転倒防止装置を家具の上面と天井との間に取り付けた状態を示す側面図である。
【図２】実施形態１及び３の転倒防止装置を家具の上面と天井との間から取り外す際の第１レバー及び第２レバーの動きを示す側面図である。
【図３】家具の上面と天井との間に取り付けられた実施形態１及び２の転倒防止装置のダンパを縮小させた状態を示す側面図である。
【図４】実施形態１の転倒防止装置のダンパの要部を示す断面図である。
【図５】実施形態１の転倒防止装置において減衰モードであるダンパを示す断面図である。
【図６】実施形態１の転倒防止装置においてロックモードであるダンパを示す断面図である。
【図７】実施形態１の転倒防止装置においてフリーモードであるダンパを示す断面図である。
【図８】実施形態２の転倒防止装置においてロックモードであるダンパを示す断面図である。
【図９】実施形態３の転倒防止装置においてフリーモードであるダンパを示す断面図である。
【図１０】実施形態３の転倒防止装置においてダンパがロックモードで第３貫通孔と第２切込部が重なった状態を示す断面図である。
【図１１】実施形態３の転倒防止装置においてダンパがロックモードで第１貫通孔と第１切込部が重なった状態を示す断面図である。
【図１２】実施形態４の転倒防止装置においてダンパが最も収縮した状態を示す側面図である。
【図１３】実施形態４の転倒防止装置においてダンパが最も収縮した状態の要部断面図である。
【図１４】実施形態５の転倒防止装置において、減衰モードであるダンパの要部を示す断面図である。
【図１５】（Ａ）は図１４の矢視Ｘ−Ｘ断面図、（Ｂ）は図１４の矢視Ｙ−Ｙ断面図、（Ｃ）は図１４の矢視Ｚ−Ｚ断面図である。
【図１６】実施形態５の転倒防止装置において、フリーモードであるダンパの要部を示す断面図である。
【図１７】（Ａ）は図１６の矢視Ｘ−Ｘ断面図、（Ｂ）は図１６の矢視Ｙ−Ｙ断面図、（Ｃ）は図１６の矢視Ｚ−Ｚ断面図である。
【図１８】実施形態５の転倒防止装置において、ロックモードであるダンパの要部を示す断面図である。
【図１９】（Ａ）は図１８の矢視Ｘ−Ｘ断面図、（Ｂ）は図１８の矢視Ｙ−Ｙ断面図、（Ｃ）は図１８の矢視Ｚ−Ｚ断面図である。
【発明を実施するための形態】
【００２１】
本発明の転倒防止装置を具体化した実施形態１〜５について、図面を参照しつつ説明する。
【００２２】
＜実施形態１＞
実施形態１の転倒防止装置は、図１及び図２に示すように、家具Ｆの上面と天井Ｃとの間に少なくとも１個以上が取り付けられる。この家具Ｆは、床面（図示せず）から鉛直方向に伸びた壁面Ｗに背面を対向させて床面上に設置されている。また、この家具Ｆは、直方体形状であり、正面（図１〜図３における右側面）に図示しない扉や引き出し等を有し、内部に衣類や装身具等を収納することができる。家具Ｆは、水平断面形状が左右方向（図１〜図３において奥行き方向）に長い長方形状である。この家具Ｆは、転倒防止装置が取り付けられていない場合、地震等の揺れによって、前方向（図１〜図３において右方向）に傾いて転倒するおそれがある。
【００２３】
転倒防止装置は、ダンパ１０、一対のベース部３０Ａ，３０Ｂ、及び操作部５０を備えている。
ダンパ１０は、図４〜図７に示すように、シリンダ１１、ロッドガイド１２、ピストンロッド１３、センタロッド１４、ピストン１５、第１流路２１、逆止弁１６、及び第２流路２２を有している。シリンダ１１は有底筒状である。シリンダ１１は内部に作動油及び圧縮ガスが封入されている。シリンダ１１は底部側端部（図４〜図７において下端部）に後述する第１ベース部３０Ａを連結する連結具１７が取り付けられている。
【００２４】
ロッドガイド１２は、シリンダ１１の開口端部を封鎖し、中央部にピストンロッド１３を摺動自在に挿通する挿通孔を有している。ピストンロッド１３は、ロッドガイド１２の挿通孔に摺動自在に挿通され、中心軸方向に往復動自在にシリンダ１１内に挿入されている。ピストンロッド１３は、シリンダ１１の開口端部から突出し、シリンダ１１の中心軸上に伸びている。ピストンロッド１３は、中心軸上に伸びて貫通する挿入孔１３Ａが形成されている。ピストンロッド１３は後端部（図４〜図７において上端部）に後述する第２ベース部３０Ｂを連結する連結具１７が取り付けられている。
【００２５】
センタロッド１４はピストンロッド１３の挿入孔１３Ａに中心軸に沿って摺動自在に挿入されている。つまり、ピストンロッド１３とセンタロッド１４とは中心軸に沿って相対的に移動する。センタロッド１４はピストンロッド１３よりも長い。センタロッド１４は中間部に外周面を一周する凹部が形成されている。センタロッド１４は凹部にパッキンＰ１が外嵌めされている。このパッキンＰ１によって、ピストンロッド１３とセンタロッド１４との間を液密状にし、ピストンロッド１３とセンタロッド１４との間から作動油が漏れ出すことを防止している。センタロッド１４は、シリンダ１１内に封入された圧縮ガスによって、ピストン１５に対して後方（図４〜図７において上方）に移動させる反力が作用している。
【００２６】
ピストン１５は円環状である。ピストン１５は、中央の貫通孔にピストンロッド１３の先端部が挿通され、ピストンロッド１３の先端部が連結されている。ピストン１５は摺動自在にシリンダ１１内に収納されている。ピストン１５はシリンダ１１内をロッド側室Ｒ１とボトム側室Ｒ２とに区画している。
【００２７】
第１流路２１は、第１貫通孔２１Ａ、第２貫通孔２１Ｂ、溝部２１Ｃ、及び連通孔２１Ｄによって構成されている。第１貫通孔２１Ａは、ピストンロッド１３のピストン１５よりも後端部（図４〜図７において上端部）側に形成されており、ピストンロッド１３の外周面と内周面との間をピストンロッド１３の中心軸に直交する方向に一直線上に伸びて貫通している。第１貫通孔２１Ａは、一端がロッド側室Ｒ１に露出したピストンロッド１３の外周面に開口し、他端がピストンロッド１３の内周面に開口している。
【００２８】
第２貫通孔２１Ｂは、ピストンロッド１３のピストン１５を連結している部分に形成されており、ピストン１５を連結しているピストンロッド１３の先端部の外周面と内周面との間をピストンロッド１３の中心軸に直交する方向に一直線上に伸びて貫通している。第２貫通孔２１Ｂは、一端がピストン１５を連結している部分のピストンロッド１３の外周面に開口し、他端がピストンロッド１３の内周面に開口している。第１貫通孔２１Ａと第２貫通孔２１Ｂとはピストンロッド１３の中心軸方向に所定の間隔を有している。
【００２９】
溝部２１Ｃは、センタロッド１４に形成されており、センタロッド１４の外周面をセンタロッド１４の中心軸方向に沿って一直線上に凹ませて伸びている。溝部２１Ｃは、センタロッド１４がピストンロッド１３に対して最も後退した後退位置で、ピストンロッド１３の内周面に開口した第１貫通孔２１Ａに後端部が連通し、ピストンロッド１３の内周面に開口した第２貫通孔２１Ｂに先端部が連通する（図５参照）。
【００３０】
連通孔２１Ｄは、ピストン１５に形成されており、ピストン１５の内周面からピストン１５のボトム側室Ｒ２に面した先端面との間を連通している。ピストン１５の内周面に開口した連通孔２１Ｄは第２貫通孔２１Ｂに連通している。このように、第１流路２１は、センタロッド１４がピストンロッド１３に対して最も後退した後退位置で、ロッド側室Ｒ１とボトム側室Ｒ２とを連通している（図５参照）。
【００３１】
逆止弁１６は連通孔２１Ｄのピストン１５の先端面に開口した開口部を開閉するように設けられている。逆止弁１６は、開口部を開閉する弁体１６Ａと、弁体１６Ａをボトム側室Ｒ２から押さえつける方向に弾性力を付与する板ばね１６Ｂとを有している。この逆止弁１６は、センタロッド１４がピストンロッド１３に対して最も後退し、第１流路２１がロッド側室Ｒ１とボトム側室Ｒ２とを連通する状態において、ロッド側室Ｒ１からボトム側室Ｒ２への作動油の流れを許容し、その逆の流れを阻止する（図５参照）。
【００３２】
第２流路２２は、第３貫通孔２２Ａ、中央流路２２Ｂ、オリフィス２２Ｃ、及び連通路２２Ｄによって構成されている。第３貫通孔２２Ａは、ピストンロッド１３のピストン１５よりも後端部（図４〜図７において上端部）側に形成されており、ピストンロッド１３の外周面と内周面との間をピストンロッド１３の中心軸に直交する方向に一直線上に伸びて貫通している。第３貫通孔２２Ａは、一端がロッド側室Ｒ１に露出したピストンロッド１３の外周面に開口し、他端がピストンロッド１３の内周面に開口している。
【００３３】
中央流路２２Ｂは、センタロッド１４に形成されており、センタロッド１４の先端面（図４〜図７において下端面）に開口し、中心軸上を後方（図４〜図７において上方）に所定の長さ伸びている。オリフィス２２Ｃは、センタロッド１４に形成されており、中央流路２２Ｂの内周面とセンタロッド１４の外周面との間を貫通している。オリフィス２２Ｃは、センタロッド１４がピストンロッド１３に対して最も後退した後退位置で、第３貫通孔２２Ａに連通する（図５参照）。
【００３４】
連通路２２Ｄは、センタロッド１４に形成されており、中央流路２２Ｂの後端部（図４〜図７において上端部）の内周面とセンタロッド１４の外周面との間を貫通している。連通路２２Ｄは、オリフィス２２Ｃよりも流路面積が大きい。連通路２２Ｄはセンタロッド１４がピストンロッド１３に対して最も前進した前進位置で、第３貫通孔２２Ａに連通する（図７参照）。オリフィス２２Ｃと連通路２２Ｄとはセンタロッド１４の中心軸方向に所定の間隔を有している。
【００３５】
一対のベース部３０Ａ，３０Ｂは、図１〜図３に示すように、家具Ｆの上面に当接する第１ベース部３０Ａと、天井Ｃに当接する第２ベース部３０Ｂである。第１ベース部３０Ａはダンパ１０のシリンダ１１の底部側端部（図４〜図７において、下端部）に取り付けられた連結具１７によってダンパ１０に対して回動自在に連結されている。第２ベース部３０Ｂはダンパ１０のピストンロッド１３の後端部（図４〜図７において、上端部）に取り付けられた連結具１７によってダンパ１０に対して回動自在に連結されている。
【００３６】
操作部５０は、図１〜図７に示すように、カム５３、第１レバー５１、第２レバー５２、及びねじりコイルばね５４を有している。
カム５３は、図４及び図５に示すように、ピストンロッド１３の後端部（図４において上端部）側に設けられた回動軸３１に回動自在に軸支されている。この回動軸３１はピストンロッド１３の後端部（図４において上端部）側で第２ベース部３０Ｂをダンパ１０に対して回動自在に連結しているものである。カム５３は、円盤状の中心部５３Ａと、この中心部５３Ａから一方向に連続して形成された凸部５３Ｂとを有する略卵型である。このカム５３は、第１ベース部３０Ａを第２ベース部３０Ｂよりも下側にしてダンパ１０の中心軸が鉛直方向に伸びた状態で、下側の外周面にセンタロッド１４の後端面（図４において上端面）が当接する。このカム５３は、中心部５３Ａと凸部５３Ｂとの境界に位置する外周面にセンタロッド１４の後端面が当接した状態から時計回転方向に回動すると、センタロッド１４をピストンロッド１３の挿入孔１３Ａ内へ徐々に押し込む。そして、カム５３の凸部５３Ｂの先端部がセンタロッド１４の後端面に当接し、センタロッド１４がピストンロッド１３に対して最も前進した前進位置（図７参照）になる。このように、ダンパ１０は、カム５３の回動によって、ピストンロッド１３とセンタロッド１４との位置関係が変化する。
【００３７】
第１レバー５１は、第１連結部５１Ａ、及び第１レバー本体５１Ｂを有している。第１連結部５１Ａは、図４及び図５に示すように、第１ベース部３０Ａを第２ベース部３０Ｂよりも下側にしてダンパ１０の中心軸が鉛直方向に伸びた状態であり、かつセンタロッド１４がピストンロッド１３に対して最も後退した後退位置で、カム５３の右上部に連続して右斜め上方に帯状に伸びている。また、この状態で、第１レバー本体５１Ｂは、第１連結部５１Ａに連続し、ピストンロッド１３から離れるように右斜め下方に拡がって伸び、先端部が右斜め上方に向けて湾曲している。
【００３８】
第２レバー５２は、回転中心部５２Ａ、第２連結部５２Ｂ、及び第２レバー本体５２Ｃを有している。回転中心部５２Ａは、円盤状であり、回動軸３１に回動自在に軸支されている。第２連結部５２Ｂは、図４及び図５に示すように、第１ベース部３０Ａを第２ベース部３０Ｂよりも下側にしてダンパ１０の中心軸が鉛直方向に伸びた状態であり、かつセンタロッド１４がピストンロッド１３に対して最も後退した後退位置で、回転中心部５２Ａの左上部に連続して左斜め上方に帯状に伸びている。また、この状態で、第２レバー本体５２Ｃは、第２連結部５２Ｂに連続し、ピストンロッド１３から離れるように左斜め下方に拡がって伸び、先端部が左斜め上方に向けて湾曲している。
【００３９】
ねじりコイルばね５４は、コイル部５４Ａと、コイル部５４Ａの両端から伸びる一対のアーム部５４Ｂとを有している。コイル部５４Ａはピストンロッド１３の後端部側に設けられた回動軸３１を内側に挿通している。一対のアーム部５４Ｂは、一方が第１レバー本体５１Ｂの回動軸３１側の内面に先端部が当接し、他方が第２レバー本体５２Ｃの回動軸３１側の内面に先端部が当接している。ねじりコイルばね５４は、第１レバー５１及び第２レバー５２が開く方向に弾性力を付与している。
【００４０】
次に、このように構成された転倒防止装置におけるダンパ１０の減衰モード、ロックモード、及びフリーモードについて説明する。
【００４１】
＜減衰モード＞
転倒防止装置において、図４及び図５に示すように、ねじりコイルばね５４の弾性力によって、第１レバー本体５１Ｂと第２レバー本体５２Ｃとが最も外方向に広がる（ピストンロッド１３の中心軸から最も離れる）と、カム５３の中心部５３Ａと凸部５３Ｂとの境界に位置する外周面にセンタロッド１４の後端面が当接し、センタロッド１４がピストンロッド１３に対して最も後退した後退位置になる。この状態で、センタロッド１４に形成された溝部２１Ｃは、後端部が第１貫通孔２１Ａに連通し、前端部が第２貫通孔２１Ｂに連通している。また、センタロッド１４に形成されたオリフィス２２Ｃは第３貫通孔２２Ａに連通している。このように、第１流路２１は第１貫通孔２１Ａ及び第２貫通孔２１Ｂが溝部２１Ｃに連通してロッド側室Ｒ１とボトム側室Ｒ２とを連通する連通状態になっており、第２流路２２は第３貫通孔２２Ａに連通したオリフィス２２Ｃを介してロッド側室Ｒ１とボトム側室Ｒ２と連通した第１連通状態になっている。
【００４２】
この状態で、ダンパ１０が収縮すると、第１連通状態の第２流路２２を作動油がボトム側室Ｒ２からロッド側室Ｒ１に流れる。この際、ダンパ１０は、第１連通状態の第２流路２２を流れる作動油にオリフィス２２Ｃが抵抗を付与し、減衰力を発生する。第１流路２１は逆止弁１６によってボトム側室Ｒ２からロッド側室Ｒ１に作動油が流れることを阻止されている。一方、この転倒防止装置は、この状態でダンパ１０が伸長すると、連通状態の第１流路２１を作動油がロッド側室Ｒ１からボトム側室Ｒ２に流れる。この際、連通状態の第１流路２１を流れる作動油に対する抵抗は収縮動作時に第２流路２２を流れる作動油にオリフィス２２Ｃが付与する抵抗に比べてはるかに小さい。
【００４３】
このように、この転倒防止装置において、図４及び図５に示すように、第１レバー本体５１Ｂと第２レバー本体５２Ｃとが最も外方向に広がった状態（ピストンロッド１３の中心軸から最も離れた状態）にすると、ダンパ１０は、伸縮自在であり、伸長動作時に発生する減衰力よりも大きい減衰力が収縮動作時に発生する減衰モードになる。
【００４４】
＜ロックモード＞
この転倒防止装置において、図６に示すように、第１レバー本体５１Ｂと第２レバー本体５２Ｃとが最も外側に拡がった状態からピストンロッド１３に近づく方向に回動軸３１を中心に第１レバー本体５１Ｂと第２レバー本体５２Ｃとを回動させると、カム５３の凸部５３Ｂの先端部よりも手前側の外周面にセンタロッド１４の後端面が当接し、センタロッド１４が後退位置よりも前進した中間位置になる。この状態で、センタロッド１４に形成された溝部２１Ｃは、第１貫通孔２１Ａよりも前方（図６において下方）に位置している。また、オリフィス２２Ｃと連通路２２Ｄとの間に第３貫通孔２２Ａが位置している。このように第１流路２１は第１貫通孔２１Ａが溝部２１Ｃに連通せずに遮断状態であり、第２流路２２は第３貫通孔２２Ａがオリフィス２２Ｃ及び連通路２２Ｄに連通せずに遮断状態になっている。
【００４５】
このように、この転倒防止装置において、図６に示すように、第１レバー本体５１Ｂと第２レバー本体５２Ｃとが最も外側に拡がった状態からピストンロッド１３に近づく方向に第１レバー本体５１Ｂと第２レバー本体５２Ｃとを回動軸３１周りに回動させると、ダンパ１０は、第１流路２１及び第２流路２２が遮断されているため、ロッド側室Ｒ１とボトム側室Ｒ２との間で作動油が移動することができず、伸縮することができない。つまり、ダンパ１０は伸長方向に付勢された反力による伸長動作を阻止するロックモードになる。
【００４６】
＜フリーモード＞
この転倒防止装置において、図７に示すように、回動軸３１を中心に第１レバー本体５１Ｂと第２レバー本体５２Ｃとを回動させて第１レバー本体５１Ｂと第２レバー本体５２Ｃとがピストンロッド１３の中心軸に沿うよう近づけると、カム５３の凸部５３Ｂの先端部の外周面にセンタロッド１４の後端面（図７において上端面）が当接し、センタロッド１４がピストンロッド１３に対して最も前進した前進位置になる。この状態で、センタロッド１４に形成された溝部２１Ｃは第２貫通孔２１Ｂよりも前方（図７において下方）に移動している。また、センタロッド１４に形成された連通路２２Ｄは第３貫通孔２２Ａに連通している。このように、第１流路２１は第１貫通孔２１Ａ及び第２貫通孔２１Ｂが溝部２１Ｃに連通せずに遮断状態になっており、第２流路２２は第３貫通孔２２Ａに連通した連通路２２Ｄを介してロッド側室Ｒ１とボトム側室Ｒ２とを連通した第２連通状態になっている。
【００４７】
この状態で、ダンパ１０を伸縮させると、第２連通状態である第２流路２２を介してボトム側室Ｒ２からロッド側室Ｒ１へ作動油が流れる。この際、連通路２２Ｄがオリフィス２２Ｃよりも流路面積が大きいため、第２流路２２は第２連通状態における作動油の流量が第１連通状態よりも多くなる。
【００４８】
このように、この転倒防止装置において、回動軸３１を中心に第１レバー本体５１Ｂと第２レバー本体５２Ｃとを回動させて第１レバー本体５１Ｂと第２レバー本体５２Ｃとがピストンロッド１３の中心軸に沿うよう近づけると、ダンパ１０は、伸縮自在であり、減衰モードにおける収縮動作時に発生する減衰力よりも小さい減衰力が収縮動作時に発生するフリーモードになる。
【００４９】
＜転倒防止装置の取付け、取り外し等＞
このように、減衰モード、ロックモード、及びフリーモードのいずれかに切り換えることができるダンパ１０を備えた転倒防止装置は、家具Ｆの上面と天井Ｃとの間に取り付ける前に、第１レバー本体５１Ｂ、第２レバー本体５２Ｃ、及びピストンロッド１３を握るように第１レバー本体５１Ｂ及び第２レバー本体５２Ｃをピストンロッド１３に近づけると、ダンパ１０がフリーモードになり、第１レバー本体５１Ｂ、第２レバー本体５２Ｃ、及びピストンロッド１３を握ったままダンパ１０を小さな力で容易に収縮させることができる。
【００５０】
この転倒防止装置は、家具Ｆの上面と天井Ｃとの間に取り付けるにあたり、ダンパ１０を収縮させた状態から、伸長方向に付勢された反力によってダンパ１０を伸長させながら第２ベース部３０Ｂを天井Ｃに当接させる。この際、ダンパ１０をロックモードにして伸長動作を阻止し、ダンパ１０を徐々に伸長させることができるため、第２ベース部３０Ｂの天井Ｃへの衝突音を軽減することができる。また、この転倒防止装置は、図１に示すように、家具Ｆの上面と天井Ｃとの間に取り付ける際、ダンパ１０をロックモードにして伸長動作を阻止し、ダンパ１０を徐々に伸長させることによって、第２ベース部３０Ｂの天井Ｃへの当接位置を適正な位置に調整して、ダンパ１０の鉛直線に対する傾斜角度が１５°〜２５°の範囲になるように家具Ｆの上面と天井Ｃとの間に取り付けることができる。
【００５１】
この転倒防止装置は、家具Ｆの上面と天井Ｃとの間に取り付けられた際に、ダンパ１０を減衰モードにすることによって、伸長方向に反力が作用しつつ、収縮動作時に伸長動作時に発生する減衰力よりも大きい減衰力が発生する。このため、この転倒防止装置は、地震等の揺れによって家具Ｆが傾くと、ダンパ１０の収縮動作時に発生する減衰力が家具Ｆに作用して傾きを抑制し、家具Ｆの転倒を防止することができる。
【００５２】
家具Ｆの上面と天井Ｃとの間に取り付けられた転倒防止装置を取り外す際、図２及び図３に示すように、第１レバー本体５１Ｂ、第２レバー本体５２Ｃ、及びピストンロッド１３を握るように第１レバー本体５１Ｂ及び第２レバー本体５２Ｃをピストンロッド１３に近づけると、ダンパ１０がフリーモードになり、第１レバー本体５１Ｂ、第２レバー本体５２Ｃ、及びピストンロッド１３を握ったままダンパ１０を小さな力で容易に収縮させることができる。この際、ダンパ１０を収縮させた状態でダンパ１０をロックモードにすれば、ダンパ１０が不意又は勢いよく伸長しないため、取り外しを容易に行うことができる。
【００５３】
＜実施形態２＞
実施形態２の転倒防止装置は、図８に示すように、操作部１５０のカム１５３の形状が実施形態１と相違する。他の構成は実施形態１と同様であり、同一の構成は同一の符号を付して詳細な説明を省略する。
【００５４】
カム１５３は、円盤状の中心部１５３Ａと、この中心部１５３Ａから一方向に連続して形成された第１凸部１５３Ｂとを有する略卵型の形状に対して、中心部１５３Ａと第１凸部１５３Ｂとの境界部分から第１凸部１５３Ｂの先端部に向けて伸びた一方の外周面を外方向に突出させた第２凸部１５３Ｃが形成された形状である。第２凸部１５３Ｃは、回動軸３１が延びている方向に沿って見た側面視の形状が、第１凸部１５３Ｂよりも小さい略三角形状であり、先端部が外方向に膨らんだ湾曲面で形成されている。
【００５５】
このカム１５３は、第１ベース部３０Ａを第２ベース部３０Ｂよりも下側にしてダンパ１０の中心軸が鉛直方向に伸びた状態で、下側の外周面にセンタロッド１４の後端面（図８において上端面）が当接する。このカム１５３は中心部１５３Ａと第２凸部１５３Ｃとの境界に位置する外周面にセンタロッド１４の後端面が当接した状態から時計回転方向に回動すると、センタロッド１４をピストンロッド１３の挿入孔１３Ａ内へ徐々に押し込みながらセンタロッド１４の後端面が第２凸部１５３Ｃの先端部を乗り越え、その後、センタロッド１４にかかる反力によってセンタロッド１４がピストンロッド１３挿入孔１３Ａから徐々に押し出されながら第２凸部１５３Ｃと第１凸部１５３Ｂとの間の凹部１５３Ｄにセンタロッド１４の後端面が当接し、センタロッド１４が後退位置よりも前進した中間位置になる。この状態からカム１５３が時計回転方向に回動すると、センタロッド１４をピストンロッド１３の挿入孔１３Ａ内へ徐々に押し込みながらカム１５３の第１凸部１５３Ｂの先端部がセンタロッド１４の後端面に当接し、センタロッド１４がピストンロッド１３に対して最も前進した前進位置になる。このように、ダンパ１０は、カム１５３の回動によって、ピストンロッド１３とセンタロッド１４との位置関係が変化する。
【００５６】
このように構成された転倒防止装置は、カム１５３の第２凸部１５３Ｃと第１凸部１５３Ｂとの間の凹部１５３Ｄにセンタロッド１４の後端面が当接し、センタロッド１４が後退位置よりも前進した中間位置になると、センタロッド１４に形成された溝部２１Ｃは、第１貫通孔２１Ａよりも前方（図８において下方）に位置している。また、オリフィス２２Ｃと連通路２２Ｄとの間に第３貫通孔２２Ａが位置している。このように、第１流路２１は第１貫通孔２１Ａが溝部２１Ｃに連通せずに遮断状態であり、第２流路２２は第３貫通孔２２Ａがオリフィス２２Ｃ及び連通路２２Ｄに連通せずに遮断状態になっている。
【００５７】
このように、この転倒防止装置において、図８に示すように、第１レバー本体５１Ｂと第２レバー本体５２Ｃとが最も外側に拡がった状態からピストンロッド１３に近づく方向に第１レバー本体５１Ｂと第２レバー本体５２Ｃとを回動軸３１周りに回動させ、センタロッド１４の後端面をカム１５３の第２凸部１５３Ｃと第１凸部１５３Ｂとの間の凹部１５３Ｄに当接させると、ダンパ１０は、第１流路２１及び第２流路２２が遮断されているため、ロッド側室Ｒ１とボトム側室Ｒ２との間で作動油が移動することができず、伸縮することができない。つまり、ダンパ１０は伸長方向に付勢された反力による伸長動作を阻止するロックモードになる。
【００５８】
ダンパ１０がロックモードの状態で、ねじりコイルばね５４の弾性力によって第１レバー５１及び第２レバー５２が開く方向に回動軸３１周りに回動しようとしても、センタロッド１４にかかる反力によってセンタロッド１４の後端面がカム１５３の第２凸部１５３Ｃと第１凸部１５３Ｂとの間の凹部１５３Ｄに押し付けられており、センタロッド１４の後端部が第２凸部１５３Ｃを乗り越えられない。このため、この転倒防止装置のダンパ１０はロックモードを保持することができる。
【００５９】
＜実施形態３＞
実施形態３の転倒防止装置は、図９〜図１１に示すように、ダンパ１１０に設けられた第１流路１２１が第１流量変化部である第１切込部２１Ｅを具備し、第２流路１２２が第２流量変化部である第２切込部２２Ｅを具備している点が、実施形態１と相違する。他の構成は実施形態１と同様であり、同一の構成は同一の符号を付して詳細な説明を省略する。
【００６０】
この転倒防止装置は、図９に示すように、センタロッド１１４に形成された連通路２２Ｄに連続して前方に伸びたＶ字型に切り込まれた第２切込部２２Ｅが形成されている。この第２切込部２２Ｅは連通路２２Ｄの前端から前方（図９において下方）に向けて徐々に深さが浅くなっている。この転倒防止装置は、回動軸を中心に第１レバー本体５１Ｂと第２レバー本体５２Ｃとを回動させて第１レバー本体５１Ｂと第２レバー本体５２Ｃとがピストンロッド１３の中心軸に沿うよう近づけることによって、ダンパ１１０はセンタロッド１１４がピストンロッド１３に対して最も前進した前進位置に位置し、フリーモードになる。この状態から第１レバー本体５１Ｂ及び第２レバー本体５２Ｃをピストンロッド１３から遠ざけるように広げていくと、図１０に示すように、センタロッド１１４がピストンロッド１３に対して後退（図１０において上昇）し、第３貫通孔２２Ａが第２切込部２２Ｅに重なる。このダンパ１１０は、センタロッド１１４がピストンロッド１３に対して後退するにしたがい、第３貫通孔２２Ａと第２切込部２２Ｅとの重なり位置が移動し、第２流路１２２を流れることができる作動油の流量が徐々に少なくなる。この間、第１流路１２１は遮断されているため、ダンパ１１０は、ロッド側室Ｒ１からボトム側室Ｒ２へ向けて第２流路１２２を流れることができる作動油の流量が少なくなるにしたがって、ダンパ１１０の伸長方向に付勢された反発力による伸長速さが遅くなる。
【００６１】
このため、この転倒防止装置は、第１レバー本体５１Ｂと第２レバー本体５２Ｃとをピストンロッド１３の中心軸に沿うように近づけてダンパをフリーモードにした状態から、第１レバー本体５１Ｂと第２レバー本体５２Ｃとをピストンロッド１３から遠ざけるように広げる広げ具合によって、ダンパ１１０の伸長方向に付勢された反発力による伸長速さを調整したり、第３貫通孔２２Ａと第２切込部２２Ｅとの重なりを無くして第２流路１２２を遮断し、ダンパの伸縮を阻止したりするロックモードに切り替えることができる。
【００６２】
さらに、この転倒防止装置は、図１１に示すように、第１流路１２１及び第２流路１２２が遮断された状態から第１レバー本体５１Ｂと第２レバー本体５２Ｃとをピストンロッド１３から遠ざけるように広げると、センタロッド１１４がさらに後退（図１１において上昇）し、第１貫通孔２１Ａが第１切込部２１Ｅに重なる。このダンパ１１０は、センタロッド１１４がピストンロッド１３に対して後退するにしたがい、第１貫通孔２１Ａと第１切込部２１Ｅとの重なり位置が移動し、第１流路２１を流れることができる作動油の流量が徐々に多くなる。ダンパ１１０は、ロッド側室Ｒ１からボトム側室Ｒ２へ向けて第１流路１２１を流れることができる作動油の流量が多くなるにしたがって、ダンパ１１０の伸長方向に付勢された反発力による伸長速さが速くなる。
【００６３】
このため、この転倒防止装置は、第１流路１２１と第２流路１２２とが遮断され、ダンパ１１０の伸縮が阻止された状態から、第１レバー本体５１Ｂと第２レバー本体５２Ｃとをピストンロッド１３から遠ざけるように広げる広げ具合によっても、ダンパ１１０の伸長方向に付勢された反発力による伸長速さを調整することができる。
【００６４】
このように、この転倒防止装置は、ロックモードにおいて、第１レバー本体５１Ｂと第２レバー本体５２Ｃとの広げ具合によって、ダンパ１１０の伸長方向に付勢された反発力による伸長速さを調整したり、ダンパ１１０の伸縮を阻止したりすることができるため、ダンパ１１０を徐々に伸長させて、家具Ｆの上面と天井Ｃとの間に適正な状態で取り付けることができる。
【００６５】
＜実施形態４＞
実施形態４の転倒防止装置は、図１２及び図１３に示すように、ダンパ２１０が最も収縮した状態において、ピストンロッド１３の先端面に開口した挿入孔１３Ａにボトム側室Ｒ２から挿入されて挿入孔１３Ａを封鎖し、第２流路２２を遮断するピン部材７１を具備したフリーピストン７０を有している点が、実施形態１と相違する。他の構成は実施形態１と同様であり、同一の構成は同一の符号を付して詳細な説明を省略する。
【００６６】
この転倒防止装置は、ピストン１５よりもシリンダ１１の底部側（図１２及び図１３において下側）のシリンダ１１内にフリーピストン７０が摺動自在に収納されている。フリーピストン７０は、外周面を一周する溝部にパッキンＰ２が外嵌めされている。フリーピストン７０よりもシリンダ１１の底部側（図１２及び図１３において下側）に圧縮ガスが封入され、フリーピストン７０よりもシリンダ１１の開口端部側（図１２及び図１３において上側）に作動油が封入されている。フリーピストン７０はピストン１５側の側面中央部に円柱状のピン部材７１が突出している。ピン部材７１は先端部が球面形状である。また、ピン部材７１の外径寸法はピストンロッド１３に先端面に開口した挿入孔１３Ａの内径寸法と同じである。
【００６７】
この転倒防止装置は、図１２に示すように、ダンパ２１０をフリーモードにして収縮させると、ピストンロッド１３の先端面に開口した挿入孔１３Ａにピン部材７１が挿入され、挿入孔１３Ａが封鎖され、第２流路２２が遮断される。このため、この転倒防止装置は、第１流路２１及び第２流路２２を遮断状態になり、伸長方向に付勢された反力による伸長動作が阻止され、最も収縮した状態が保持される。この状態で、この転倒防止装置は、梱包したり、搬送したりすることができる。
【００６８】
＜実施形態５＞
実施形態５の転倒防止装置は、図１４〜図１９に示すように、ダンパ３１０のピストンロッド３１３とセンタロッド３１４とが中心軸周りに相対的に回転することによって位置関係を変化させ、減衰モード、フリーモード、又はロックモードのいずれかに切り換える点が実施形態１等と相違する。他の構成は実施形態１と同様であり、同一の構成は同一の符号を付して詳細な説明を省略する。
【００６９】
この転倒防止装置のダンパ３１０は、シリンダ１１、図示しないロッドガイド、ピストンロッド３１３、センタロッド３１４、ピストン１５、第１流路３２１、逆止弁１６、及び第２流路３２２を有している。センタロッド３１４はピストンロッド３１３の挿入孔３１３Ａに中心軸周りに回転自在に挿入されている。つまり、ピストンロッド３１３とセンタロッド３１４とは中心軸周りに相対的に回転する。センタロッド３１４及びピストンロッド３１３はピストン１５よりもボトム側室Ｒ２側に突出している。
【００７０】
第１流路３２１は、図１４及び図１５に示すように、第１貫通孔２１Ａ、第２貫通孔２１Ｂ、中央流路３２２Ｂ、第１連通路３０１、第２連通路３０２、及び連通孔２１Ｄによって構成されている。第１貫通孔２１Ａは、ピストンロッド３１３のピストン１５よりも後端部側に形成されており、ピストンロッド３１３の外周面と内周面との間をピストンロッド３１３の中心軸に直交する方向に一直線上に伸びて貫通している。第１貫通孔２１Ａは、一端がロッド側室Ｒ１に露出したピストンロッド３１３の外周面に開口し、他端がピストンロッド３１３の内周面に開口している。
【００７１】
第２貫通孔２１Ｂは、ピストンロッド３１３のピストン１５を連結している部分に形成されており、ピストン１５を連結しているピストンロッド３１３の先端部の外周面と内周面との間をピストンロッド３１３の中心軸に直交する方向に一直線上に伸びて貫通している。第２貫通孔２１Ｂは、一端がピストン１５を連結している部分のピストンロッド３１３の外周面に開口し、他端がピストンロッド３１３の内周面に開口している。第１貫通孔２１Ａと第２貫通孔２１Ｂとはピストンロッド１３の中心軸方向に所定の間隔を有している。
【００７２】
中央流路３２２Ｂはセンタロッド３１４の先端部に中心軸上を伸びるように形成されている。第１連通路３０１は、センタロッド３１４に形成されており、中央流路３２２Ｂの後端部（図１４において上端部）の内周面とセンタロッド１４の外周面との間を貫通している。第１連通路３０１はセンタロッド３１４がピストンロッド３１３に対して中心軸周りに回転した所定の回転位置でピストンロッド３１３に形成された第１貫通孔２１Ａに連通する位置に形成されている。第２連通路３０２は、センタロッド３１４に形成されており、中央流路３２２Ｂの中間部の内周面とセンタロッド３１４の外周面との間を貫通している。第２連通路３０２は、センタロッド３１４がピストンロッド３１３に対して中心軸周りに回転し、第１連通路３０１が第１貫通孔２１Ａに連通した際、ピストンロッド３１３に形成された第２貫通孔２１Ｂに連通する位置に形成されている。
【００７３】
連通孔２１Ｄは、ピストン１５に形成されており、ピストン１５の内周面からピストン１５のボトム側室Ｒ２に面した先端面との間を連通している。ピストン１５の内周面に開口した連通孔２１Ｄは第２貫通孔２１Ｂに連通している。このように、第１流路３２１は、センタロッド３１４がピストンロッド３１３に対して中心軸周りに回転した所定の回転位置で、ロッド側室Ｒ１とボトム側室Ｒ２とを連通している。
【００７４】
第２流路３２２は、第１貫通孔２１Ａ、第３貫通孔３２２Ａ、中央流路３２２Ｂ、第１連通路３０１、及びオリフィス３２２Ｃによって構成された第１連通状態（図１４及び図１５参照）と、第１貫通孔２１Ａ、第３貫通孔３２２Ａ、中央流路３２２Ｂ、第３連通路３０３、及び第４連通路３０４によって構成された第２連通状態（図１６及び図１７参照）とを有している。第３貫通孔３２２Ａは、ピストンロッド３１３のピストン１５よりも先端部側に形成されており、ピストンロッド３１３の外周面と内周面との間をピストンロッド３１３の中心軸に直交する方向に一直線上に伸びて貫通している。第３貫通孔３２２Ａは、一端がボトム側室Ｒ２に露出したピストンロッド３１３の外周面に開口し、他端がピストンロッド３１３の内周面に開口している。オリフィス３２２Ｃは、図１４及び図１５に示すように、センタロッド３１４に形成されており、中央流路３２２Ｂの前端部（図１４において下端部）の内周面とセンタロッド３１４の外周面との間を貫通している。オリフィス３２２Ｃは、センタロッド３１４がピストンロッド３１３に対して中心軸周りに回転し、第１連通路３０１が第１貫通孔２１Ａに連通し、第２連通路３０２が第２貫通孔２１Ｂに連通した際、ピストンロッド３１３に形成された第３貫通孔３２２Ａに連通する位置に形成されている。このように、第２流路３２２は、第１貫通孔２１Ａ、第１連通路３０１、中央流路３２２Ｂ、オリフィス３２２Ｃ、及び第３貫通孔３２２Ａが連通した第１連通状態において、ロッド側室Ｒ１とボトム側室Ｒ２とを連通する。
【００７５】
第３連通路３０３は、図１６及び図１７に示すように、センタロッド３１４に形成されており、中央流路３２２Ｂの後端部（図１６において上端部）の内周面とセンタロッド３１４の外周面との間を貫通している。第３連通路３０３は第１連通路３０１から中心軸周りに１２０度ずれた位置に形成されている。このため、第１連通路３０１が第１貫通孔２１Ａに連通した状態からピストンロッド３１３を反時計回転方向に１２０度回転させると、第３連通路３０３が第１貫通孔２１Ａに連通する。第３連通路３０３の流路面積は第１貫通孔２１Ａの流路面積と等しい。
【００７６】
第４連通路３０４は、センタロッド３１４に形成されており、中央流路３２２Ｂの前端部（図１６において下端部）の内周面とセンタロッド３１４の外周面との間を貫通している。第４連通路３０４は、第１連通路３０１と第３連通路３０３との関係と同じように、オリフィス３２２Ｃから中心軸周りに１２０度ずれた位置に形成されている。このため、オリフィス３２２Ｃが第３貫通孔３２２Ａに連通した状態（第１連通路３０１が第１貫通孔２１Ａに連通した状態）からピストンロッド３１３を反時計回転方向に１２０度回転させると、第４連通路３０４が第３貫通孔３２２Ａに連通する。第４連通路３０４はオリフィス３２２Ｃよりも流路面積が大きい。このように、第２流路３２２は、第１貫通孔２１Ａ、第３連通路３０３、中央流路３２２Ｂ、第４連通路３０４、及び第３貫通孔３２２Ａが連通した第２連通状態において、ロッド側室Ｒ１とボトム側室Ｒ２とを連通する。
【００７７】
次に、このように構成された転倒防止装置におけるダンパの減衰モード、フリーモード、及びロックモードについて説明する。
【００７８】
＜減衰モード＞
この転倒防止装置において、図１４及び図１５に示すように、センタロッド３１４をピストンロッド３１３に対して回転させて、第１流路３２１を連通状態にし、第２流路３２２を第１連通状態にする。この状態で、ダンパ３１０が収縮すると、第１連通状態の第２流路３２２を介してボトム側室Ｒ２からロッド側室Ｒ１へ作動油が流れる。この際、ダンパ３１０は、第２流路３２２を流れる作動油にオリフィス３２２Ｃが抵抗を付与し、減衰力を発生する。第１流路３２１は逆止弁１６によってボトム側室Ｒ２からロッド側室Ｒ１に作動油が流れることを阻止されている。一方、この転倒防止装置は、この状態でダンパが伸長すると、第１流路３２１を作動油がロッド側室Ｒ１からボトム側室Ｒ２に流れる。この際、第１流路３２１を流れる作動油に対する抵抗は収縮動作時に第１連通状態の第２流路３２２を流れる作動油にオリフィス３２２Ｃが付与する抵抗に比べてはるかに小さい。このように、このダンパ３１０は、伸縮自在であり、伸長動作時に発生する減衰力よりも大きい減衰力が収縮動作時に発生する減衰モードになる。
【００７９】
＜フリーモード＞
この転倒防止装置において、図１６及び図１７に示すように、減衰モードの状態からセンタロッド３１４をピストンロッド３１３に対して反時計回転方向に１２０度回転させると、第２流路３２２が第２連通状態になる。この状態で、ダンパを伸縮させると、第２連通状態の第２流路３２２を介してボトム側室Ｒ２からロッド側室Ｒ１へ作動油が流れる。この際、第４連通路３０４がオリフィス３２２Ｃよりも流路面積が大きいため、第２連通状態の第２流路３２２を流れる作動油の流量は減衰モードにおける第１連通状態の第２流路３２２を流れる作動油の流量よりも多くなる。このように、このダンパ３１０は、伸縮自在であり、減衰モードにおける収縮動作時に発生する減衰力よりも小さい減衰力が収縮動作時に発生するフリーモードになる。
【００８０】
＜ロックモード＞
この転倒防止装置において、図１８及び図１９に示すように、センタロッド３１４をピストンロッド３１３に対して、減衰モード及びフリーモードと違う回転位置に回転させ、第１流路３２１及び第２流路３２２がロッド側室Ｒ１とボトム側室Ｒ２とを連通しない状態にすると、ダンパ３１０が伸縮することができず、伸長方向に付勢された反力による伸長動作を阻止するロックモードになる。
【００８１】
以上説明したように、実施形態１〜５の転倒防止装置は、ダンパ１０，１１０，２１０，３１０を備えており、設置面上に設置された家具Ｆの上面と天井Ｃとの間に取り付けられる。ダンパ１０，１１０，２１０，３１０は収縮動作時に発生する減衰力が伸長動作時に発生する減衰力よりも大きく、伸長方向に反力が付勢されている。また、このダンパ１０，１１０，２１０，３１０はピストンロッド１３，３１３及びセンタロッド１４，１１４，３１４を有している。ピストンロッド１３，３１３は中心軸上に伸びる挿入孔１３Ａ、３１３Ａが形成されている。センタロッド１４，１１４，３１４は、ピストンロッド１３，３１３の挿入孔１３Ａ、３１３Ａに挿入され、ピストンロッド１３，３１３との位置関係が変化する。このダンパ１０，１１０，２１０，３１０は、ピストンロッド１３，３１３とセンタロッド１４，１１４，３１４との位置関係を変化させると、減衰モード、フリーモード、又はロックモードのいずれかに切り替わる。減衰モードにおいて、ダンパ１０，１１０，２１０，３１０は、伸縮自在であり、伸長動作時に発生する減衰力よりも大きい減衰力が収縮動作時に発生する。フリーモードにおいて、ダンパ１０，１１０，２１０，３１０は、伸縮自在であり、減衰モードにおける収縮動作時に発生する減衰力よりも小さい減衰力が収縮動作時に発生する。ロックモードにおいて、ダンパ１０，１１０，２１０，３１０は伸長方向に付勢された反力による伸長動作を阻止又は減速する。
【００８２】
この転倒防止装置は、ダンパ１０，１１０，２１０，３１０のピストンロッド１３，３１３とセンタロッド１４，１１４，３１４との位置関係を変化させてダンパ１０，１１０，２１０，３１０を減衰モードにした状態で、家具Ｆの上面と天井Ｃとの間に取り付けられる。すると、この転倒防止装置に備えられたダンパ１０，１１０，２１０，３１０は、伸長方向に反力が作用しつつ、伸長動作時に発生する減衰力よりも大きい減衰力が収縮動作時に発生する。このため、この転倒防止装置は、地震等の揺れによって家具Ｆが傾くと、ダンパ１０，１１０，２１０，３１０の収縮動作時に発生する減衰力が家具Ｆに作用して傾きを抑制し、家具Ｆの転倒を防止することができる。
【００８３】
また、この転倒防止装置は、ダンパ１０，１１０，２１０，３１０のピストンロッド１３，３１３とセンタロッド１４，１１４，３１４との位置関係を変化させてダンパ１０，１１０，２１０，３１０をフリーモードにすると、ダンパ１０，１１０，２１０，３１０の収縮動作時に発生する減衰力が減衰モードにおける収縮動作時に発生する減衰力よりも小さくなる。つまり、この転倒防止装置は、ダンパ１０，１１０，２１０，３１０をフリーモードにすると、ダンパ１０，１１０，２１０，３１０を小さな力で容易に収縮させることができる。このように、この転倒防止装置は、ダンパ１０，１１０，２１０，３１０をフリーモードにすることによって、家具Ｆの上面と天井Ｃとの間への取り付け及び取り外し等をする際に、ダンパ１０，１１０，２１０，３１０を容易に収縮させることができる。
【００８４】
また、この転倒防止装置は、ダンパ１０，１１０，２１０，３１０のピストンロッド１３，３１３とセンタロッド１４，１１４，３１４との位置関係を変化させてダンパ１０，１１０，２１０，３１０をロックモードにすると、伸長方向に付勢された反力によるダンパ１０，１１０，２１０，３１０の伸長動作が阻止又は減速される。このため、この転倒防止装置は、家具Ｆの上面と天井Ｃとの間に取り付けたり、取り外したりするためにダンパ１０，１１０，２１０，３１０を収縮させた際、ダンパ１０，１１０，２１０，３１０が不意又は勢いよく伸長してしまうことを防止することができる。つまり、この転倒防止装置を家具Ｆの上面と天井Ｃとの間に取り付ける際、ダンパ１０，１１０，２１０，３１０を徐々に伸長させることができるため、転倒防止装置を適正な状態に取り付けることができる。また、家具Ｆの上面と天井Ｃとの間に取り付けられた転倒防止装置を取り外す際、収縮させたダンパ１０，１１０，２１０，３１０が不意又は勢いよく伸長しないため、取り外しを容易に行うことができる。
【００８５】
したがって、実施形態１〜５の転倒防止装置は取り付け及び取り外しを容易に行うことができる。
【００８６】
実施形態１〜５の転倒防止装置において、ダンパ１０，１１０，２１０，３１０は、シリンダ１１、ピストン１５、第１流路２１，１２１，３２１、逆止弁１６、及び第２流路２２，１２２，３２２を有している。シリンダ１１は有底筒状である。ピストン１５はシリンダ１１内に摺動自在に収納されている。また、ピストン１５はシリンダ１１内をロッド側室Ｒ１とボトム側室Ｒ２とに区画している。また、ピストン１５はピストンロッド１３，３１３の先端部が連結されている。第１流路２１，１２１，３２１は、ピストンロッド１３，３１３とセンタロッド１４，１１４，３１４との位置関係を変化させると、連通状態又は遮断状態に切り換わる。第１流路２１，１２１，３２１は、連通状態において、ロッド側室Ｒ１とボトム側室Ｒ２とを連通する。また、第１流路２１，１２１，３２１は、遮断状態において、ロッド側室Ｒ１とボトム側室Ｒ２との連通を遮断する。逆止弁１６は第１流路２１，１２１，３２１に設けられている。この逆止弁１６は、ロッド側室Ｒ１からボトム側室Ｒ２への作動油の流れを許容し、その逆の流れを阻止する。第２流路２２，１２２，３２２は、ピストンロッド１３，３１３とセンタロッド１４，１１４，３１４との位置関係を変化させると、第１連通状態、第２連通状態、又は遮断状態のいずれかに切り替わる。第２流路２２，１２２，３２２は、第１連通状態において、オリフィス２２Ｃ，３２２Ｃを介してロッド側室Ｒ１とボトム側室Ｒ２とを連通する。オリフィス２２Ｃ，３２２Ｃはダンパ１０，１１０，２１０，３１０の収縮動作時に作動油の流れに抵抗を付与して減衰力を発生させる。また、第２流路２２，１２２，３２２は、第２連通状態において、連通路２２Ｄ、第４連通路３０４を介してロッド側室Ｒ１とボトム側室Ｒ２とを連通する。連通路２２Ｄ、第４連通路３０４はオリフィス２２Ｃ、３２２Ｃよりも流路面積が大きい。第２流路２２，１２２，３２２は第２連通状態の方が第１連通状態よりも流れる作動油の流量が多い。また、第２流路２２，１２２，３２２は、遮断状態において、ロッド側室Ｒ１とボトム側室Ｒ２との連通を遮断する。このダンパ１０，１１０，２１０，３１０は第１流路２１，１２１，３２１を連通状態に切り換えて第２流路２２，１２２，３２２を第１連通状態に切り換えると減衰モードに切り換わる。また、このダンパ１０，１１０，２１０，３１０は第２流路２２，１２２，３２２を第２連通状態に切り換えるとフリーモードに切り換わる。また、このダンパ１０，１１０，２１０，３１０は第１流路２１，１２１，３２１及び第２流路２２，１２２，３２２を遮断状態に切り換えるとロックモードに切り換わる。
【００８７】
このように、この転倒防止装置は、ダンパ１０，１１０，２１０，３１０のピストンロッド１３，３１３とセンタロッド１４，１１４，３１４との位置関係を変化させて第１流路２１，１２１，３２１と第２流路２２，１２２，３２２の状態を切り替えることによって、ダンパ１０，１１０，２１０，３１０を減衰モード、フリーモード、又はロックモードのいずれかに切り換えることができる。
【００８８】
実施形態３の転倒防止装置において、ダンパ１１０の第１流路１２１は第１切込部２１Ｅを具備している。第１切込部２１Ｅは、ピストンロッド１３とセンタロッド１１４との位置関係を変化させて第１流路１２１を連通状態から遮断状態に切り換える過程において、第１流路１２１を流れる作動油の流量を徐々に減少させる。このため、このダンパは、第１切込部２１Ｅによって、第１流路１２１を流れる作動油の流量を調整することができる。ダンパ１１０の伸長方向に付勢された反発力によるダンパ１１０の伸長動作は、第１流路１２１を流れる作動油の流量を減少させるに従い、遅くなる。このため、この転倒防止装置は、第１切込部２１Ｅで第１流路１２１を流れる作動油の流量を調整することで、ダンパ１１０の伸長方向に付勢された反発力による伸長速さを調整することができるため、ダンパ１１０を徐々に伸長させて、家具Ｆの上面と天井Ｃとの間に適正な状態で取り付けることができる。
【００８９】
実施形態３の転倒防止装置において、ダンパ１１０の第２流路１２２は第２切込部２２Ｅを具備している。第２切込部２２Ｅは、ピストンロッド１３とセンタロッド１１４との位置関係を変化させて第２流路１２２を第２連通状態から遮断状態に切り換える過程において、第２流路１２２を流れる作動油の流量を徐々に減少させる。このため、このダンパ１１０は、第２切込部２２Ｅによって、第２流路１２２を流れる作動油の流量を調整することができる。ダンパ１１０の伸長方向に付勢された反発力によるダンパ１１０の伸長動作は、第１流路１２１を遮断した状態において、第２流路１２２を流れる作動油の流量を減少させるに従い、遅くなる。このため、この転倒防止装置は、第２切込部２２Ｅで第２流路１２２を流れる作動油の流量を調整することで、ダンパ１１０の伸長方向に付勢された反発力による伸長速さを調整することができるため、ダンパ１１０を徐々に伸長させて、家具Ｆの上面と天井Ｃとの間に適正な状態で取り付けることができる。
【００９０】
実施形態１〜４の転倒防止装置において、ピストンロッド１３とセンタロッド１４，１１４とは中心軸に沿って相対的に移動することによって位置関係を変化させる。このため、中心軸に沿って貫通した挿入孔１３Ａをピストンロッド１３に形成し、この挿入孔１３Ａに挿入し、ピストンロッド１３の後端部から突出したセンタロッド１４，１１４の突出部分を操作して突出長さを変更することによって、ピストンロッド１３とセンタロッド１４，１１４と位置関係を容易に変更することができる。
【００９１】
実施形態５の転倒防止装置において、ピストンロッド３１３とセンタロッド３１４とは中心軸周りを相対的に回転することによって位置関係を変化させる。このため、中心軸に沿って貫通した挿入孔３１３Ａをピストンロッド３１３に形成し、この挿入孔３１３Ａに挿入し、ピストンロッド３１３の後端部から突出したセンタロッド３１４の突出部分を回転操作することによって、ピストンロッド３１３とセンタロッド３１４と位置関係を容易に変更することができる。
【００９２】
実施形態１〜４の転倒防止装置において、カム５３と、第１レバー５１とを備えている。カム５３はピストンロッド１３の後端部側に回動自在に軸支されている。このカム５３が回動するとセンタロッド１４，１１４が中心軸に沿って移動する。第１レバー５１はカム５３に連結されている。この転倒防止装置は、第１レバー５１が回動軸３１周りを移動してピストンロッド１３に近づくにしたがって、カム５３が回動してピストンロッド１３とセンタロッド１４との位置関係が変化し、ダンパ１０，１１０，２１０が減衰モード、ロックモード、フリーモードの順に切り換わる。このため、第１レバー５１とピストンロッド１３とを握るように第１レバー５１をピストンロッド１３に近づけるとダンパ１０，１１０，２１０がフリーモードになり、第１レバー５１とピストンロッド１３とを握ったままダンパ１０，１１０，２１０を容易に収縮させることができる。
【００９３】
実施形態４の転倒防止装置において、ダンパ２１０はピン部材７１を有している。ピストンロッド１３は中心軸に沿って挿入孔１３Ａが貫通している。センタロッド１４は第２流路２２が先端面に開口して中心軸に沿って伸びている。ピン部材７１は、ダンパ２１０が最も収縮した状態において、ピストンロッド１３の先端面に開口した挿入孔１３Ａにボトム側室Ｒ２から挿入されて挿入孔１３Ａを封鎖し、第２流路２２を遮断する。このため、この転倒防止装置は、ダンパ２１０を最も収縮させた状態において、第１流路２１及び第２流路２２を遮断状態にして伸長方向に付勢された反力による伸長動作を阻止し、最も収縮した状態を保持することができる。よって、この転倒防止装置は、ダンパ２１０を最も収縮した状態に保持して、梱包したり、搬送したりすることができる。
【００９４】
本発明は上記記述及び図面によって説明した実施形態１〜５に限定されるものではなく、例えば次のような実施形態も本発明の技術的範囲に含まれる。
（１）実施形態１〜４では、第１レバー及び第２レバーを備えていたが、第２レバーが無くてもよい。この場合、第２レバーの代わりに第１レバーをピストンロッドに近づける際に把持することができる把持部を別に設けてもよい。
（２）実施形態１〜４では、第１レバー及び第２レバーをピストンロッドに近づけるにしたがって、ダンパが減衰モード、ロックモード、フリーモードの順に切り替わるが、他の順に減衰モード、ロックモード、フリーモードを切り替えてもよい。
（３）実施形態４では、フリーピストンにピン部材が設けられていたが、シリンダの底部にピン部材を設けてもよい。
（４）実施形態３では、第１流路変換部及び第２流路変化部を具備していたが、どちらか一方のみを具備していてもよい。
（５）実施形態１〜５では、シリンダ内に作動油を充填したが、作動油の代わりに他の液体を充填してもよい。
（６）実施形態１〜５では、シリンダ内に圧縮ガスを封入しているが、圧縮ガスの代わりにボトム側室に圧縮コイルばねを収納してもよい。
（７）実施形態３及び４の操作部のカム形状を実施例２のカム形状にしてもよい。
【符号の説明】
【００９５】
１０，１１０，２１０，３１０…ダンパ、１１…シリンダ、１３，３１３…ピストンロッド、１３Ａ…挿入孔、１４，１１４，３１４…センタロッド、１５…ピストン、１６…逆止弁、２１，１２１，３２１…第１流路、２１Ｅ…第１切込部（第１流量変化部）、２２，１２２，３２２…第２流路、２２Ｃ，３２２Ｃ…オリフィス、２２Ｅ…第２切込部（第２流量変化部）、５１…第１レバー（レバー）、５３…カム、７１…ピン部材、Ｃ…天井、Ｆ…家具（物品）、Ｒ１…ロッド側室、Ｒ２…ボトム側室
【図１】
2018102703.tif 000003
【図２】
2018102703.tif 000004
【図３】
2018102703.tif 000005
【図４】
2018102703.tif 000006
【図５】
2018102703.tif 000007
【図６】
2018102703.tif 000008
【図７】
2018102703.tif 000009
【図８】
2018102703.tif 000010
【図９】
2018102703.tif 000011
【図１０】
2018102703.tif 000012
【図１１】
2018102703.tif 000013
【図１２】
2018102703.tif 000014
【図１３】
2018102703.tif 000015
【図１４】
2018102703.tif 000016
【図１５】
2018102703.tif 000017
【図１６】
2018102703.tif 000018
【図１７】
2018102703.tif 000019
【図１８】
2018102703.tif 000020
【図１９】
2018102703.tif 000021